【手続補正書】
【提出日】平成30年2月9日(2018.2.9)
【手続補正１】
【補正対象書類名】明細書
【補正対象項目名】００１３
【補正方法】変更
【補正の内容】
【００１３】
前記コネクタユニットからの前記コネクタ嵌合治具の離脱を可能にするための当該コネクタ嵌合治具による各第２コネクタの拘束の解除は、手作業で行われてもよいが、第１及び第２コネクタの嵌合の完了に伴って前記拘束が自動的に解除されることが、より好ましい。具体的には、前記コネクタ嵌合治具が、前記離脱方向に対応する方向への前記第２コネクタの変位を阻むように当該第２コネクタを拘束するためのコネクタ拘束部であって当該第２コネクタを拘束する拘束位置から当該コネクタ拘束部の弾性変形を伴って当該拘束を解除する解放位置まで変位することが可能なものを有し、前記コネクタユニットが、前記第１コネクタと前記第２コネクタとの嵌合の進行に伴って前記コネクタ拘束部を前記解放位置まで変位させるように当該コネクタ拘束部を操作して前記第２コネクタから前記離脱方向への前記コネクタ嵌合治具の離脱を可能にするように前記コネクタ拘束部による前記第２コネクタの拘束を解除させる拘束解除部を有することが、好ましい。この拘束解除部は、使用者による前記第２コネクタの拘束の解除のための特別な操作を不要にする。
【手続補正２】
【補正対象書類名】明細書
【補正対象項目名】００１７
【補正方法】変更
【補正の内容】
【００１７】
前記誘導部及び前記被誘導部の具体的な構成としては、当該被誘導部が、前記コネクタ嵌合方向及び前記治具操作方向に対して直交する方向に突出する被誘導突出部であり、当該誘導部が、当該被誘導突出部の嵌入を許容する誘導溝であるものが、好適である。この場合、前記受入れ部は前記コネクタ嵌合方向に延びるとともにその一方の端が当該コネクタ嵌合方向と平行な方向に開放された入口端を構成する受入れ溝であり、前記嵌合案内部は前記受入れ溝の両端のうち前記入口端と反対側の奥端から前記並び方向の成分と前記コネクタ嵌合方向の成分とを含む方向に延びる嵌合案内溝であり、前記離脱許容部は前記嵌合案内溝の両端のうち前記受入れ溝と反対側の端である終端から前記コネクタ嵌合方向と反対の方向に延びて当該方向に開放された出口端を有する離脱許容溝であるのが、よい。
【手続補正３】
【補正対象書類名】明細書
【補正対象項目名】００６４
【補正方法】変更
【補正の内容】
【００６４】
Ｂ）コネクタ嵌合治具における第２コネクタの拘束の解除について
前記実施形態では、コネクタユニット２のフード６の上下端６ａ，６ｂがそれぞれ上側及び下側拘束部４６，４８による第２コネクタ２０の拘束を解除することにより、当該第２コネクタ２０からのコネクタ嵌合治具３０の離脱を可能にしているが、この拘束の解除は、手作業で行われてもよい。また、当該解除は第２コネクタの離脱方向についての拘束について行われればよく、例えば並び方向についての拘束（前記実施の形態では第１上側拘束部４５及び下側拘束部４８による拘束）は必ずしも解除されなくてもよい。
【手続補正４】
【補正対象書類名】特許請求の範囲
【補正対象項目名】全文
【補正方法】変更
【補正の内容】
【特許請求の範囲】
【請求項１】
電気接続装置であって、
複数の第１コネクタを含むコネクタユニットであって当該複数の第１コネクタが特定の並び方向に沿って並ぶように配列されたものと、
前記複数の第１コネクタに対してそれぞれ前記並び方向と直交するコネクタ嵌合方向に嵌合可能な複数の第２コネクタと、
前記各第１コネクタと前記各第２コネクタとを嵌合させるためのコネクタ嵌合治具とを備え、
前記コネクタ嵌合治具は、前記第１コネクタと前記第２コネクタとの嵌合が可能となるように前記複数の第２コネクタを前記複数の第１コネクタの配列と対応する配列で着脱可能に保持し、
前記コネクタユニット及び前記コネクタ嵌合治具のうちの一方は被誘導部を有し、他方は当該被誘導部と係合しながら当該被誘導部を誘導する誘導部を有し、
当該誘導部は、前記コネクタ嵌合方向と平行な方向の成分を含む受入れ方向に前記被誘導部を受け入れることにより前記コネクタユニットと前記コネクタ嵌合治具との係合を可能にする受入れ部と、当該受入れ部に当該被誘導部が受け入れられた状態で前記コネクタユニットに対して前記コネクタ嵌合治具が前記並び方向と平行な治具操作方向に操作されるのを許容するとともに当該操作に伴って当該コネクタ嵌合治具が受ける操作力よりも大きな力で前記コネクタ嵌合治具を前記コネクタユニットに対して前記コネクタ嵌合方向に相対変位させるように前記被誘導部を前記治具操作方向と平行な方向に対して前記コネクタ嵌合方向に傾斜した嵌合案内方向に案内する嵌合案内部と、当該嵌合後に前記被誘導部が前記嵌合案内部から前記受入れ方向と逆方向の成分を含む離脱方向に離脱するのを許容するように当該被誘導部を当該離脱方向に解放する離脱許容部と、を有する、電気接続装置。
【請求項２】
請求項１記載の電気接続装置であって、前記コネクタ嵌合治具は、前記離脱方向に対応する方向への前記第２コネクタの変位を阻むように当該第２コネクタを拘束するためのコネクタ拘束部であって当該第２コネクタを拘束する拘束位置から当該コネクタ拘束部の弾性変形を伴って当該拘束を解除する解放位置まで変位することが可能なものを有し、前記コネクタユニットは、前記第１コネクタと前記第２コネクタとの嵌合の進行に伴って前記コネクタ拘束部を前記解放位置まで変位させるように当該コネクタ拘束部を操作して前記第２コネクタから前記離脱方向への前記コネクタ嵌合治具の離脱を可能にするように前記コネクタ拘束部による前記第２コネクタの拘束を解除させる拘束解除部を有する、電気接続装置。
【請求項３】
請求項１または２記載の電気接続装置であって、前記コネクタ嵌合治具は、前記コネクタ嵌合方向及び前記治具操作方向の双方と直交する方向について前記第２コネクタを間においてその両側に位置する一対の主壁であってそれぞれが前記並び方向と平行な方向に延びるものと、前記一対の主壁において前記コネクタユニット側の端部及び前記並び方向の両端部のうちの一方の端部を除く一部の端部同士を連結する連結壁と、を有し、前記一方の端部同士の間にコネクタ挿入口が形成され、当該コネクタ挿入口を通じて前記一対の主壁同士の間に前記並び方向に沿って前記第２コネクタが順次挿入されるのを受け入れる形状を有する、電気接続装置。
【請求項４】
請求項３記載の電気接続装置であって、前記一対の主壁が互いに離れる向きに変位するように前記コネクタ嵌合治具が弾性変形可能である、電気接続装置。
【請求項５】
請求項１〜３のいずれかに記載の電気接続装置であって、前記誘導部及びこれに係合される前記被誘導部は、前記並び方向と平行な方向に並ぶ複数の位置にそれぞれ設けられて
いる、電気接続装置。
【請求項６】
請求項１〜５のいずれかに記載の電気接続装置であって、前記被誘導部は、前記コネクタ嵌合方向及び前記治具操作方向に対して直交する方向に突出する被誘導突出部であり、前記誘導部は、当該被誘導突出部の嵌入を許容する誘導溝である、電気接続装置。
【請求項７】
請求項６記載の電気接続装置であって、前記受入れ部は前記コネクタ嵌合方向に延びるとともにその一方の端が当該コネクタ嵌合方向と平行な方向に開放された入口端を構成する受入れ溝であり、前記嵌合案内部は前記受入れ溝の両端のうち前記入口端と反対側の奥端から前記並び方向の成分と前記コネクタ嵌合方向の成分を含む方向に延びる嵌合案内溝であり、前記離脱許容部は前記嵌合案内溝の両端のうち前記受入れ溝と反対側の端である終端から前記コネクタ嵌合方向と反対の方向に延びて当該方向に開放された出口端を有する離脱許容溝である、電気接続装置。